(57)【要約】【課題】センターライン表示の機能を損なうことなく、折り畳まれた状態の吸収性物品を、その側面からその種類が明確に識別できるようにする。【解決手段】外装シート３と内面シート４と、外装シート３と内面シート４との間に挟持され、体液を吸収して保持する吸収体２とを備えた縦長形状の吸収性物品１であって、外装シート３には、吸収性物品１の長手方向に延びる中心線ＣＬに沿ってセンターライン表示１１が施され、外装シート３のセンターライン表示１１の両側には、センターライン表示１１に沿って補助パターン１３Ａ、１３Ｂが設けられ、補助パターン１３Ａ、１３Ｂは、センターライン表示１１と重ならないパターンであって、吸収性物品１の種類ごとに異なったパターンであり、折り畳まれた吸収性物品１の側面となる側面領域を含む領域に設けられている吸収性物品１。【選択図】図６
2020121229.tif 000002
【特許請求の範囲】
【請求項１】
外装シートと内面シートと、この外装シートと内面シートとの間に挟持され、体液を吸収して保持する吸収体とを備えた縦長形状の吸収性物品であって、
前記外装シートには、前記吸収性物品の長手方向に延びる中心線に沿ってセンターライン表示が施され、
前記外装シートの前記センターライン表示の両側には、前記センターライン表示に沿って補助パターンが設けられ、
前記補助パターンは、前記センターライン表示と重ならないパターンであって、前記吸収性物品の種類ごとに異なったパターンであり、
前記補助パターンは、折り畳まれた前記吸収性物品の側面となる側面領域を含む領域に設けられていること
を特徴とする吸収性物品。
【請求項２】
前記センターライン表示は同一形状の複数の第１図形から構成され、この複数の第１図形は、前記中心線上又は前記中心線と平行な直線上に配置された図形列を形成し、前記補助パターンは複数の第２図形又は第３図形から構成されていることを特徴とする請求項１記載の吸収性物品。
【請求項３】
前記第２図形は、前記第１図形と相似していることを特徴とする請求項２記載の吸収性物品。
【請求項４】
前記第２図形は、前記吸収性物品の種類ごとに形状が異なり、ひし形、円形、正方形、星形のいずれかの形状を含むことを特徴とする請求項２又は請求項３記載の吸収性物品。
【請求項５】
前記第１図形は星形又は花形のいずれかの形状を含み、前記第３図形は、前記第１図形に関連する月形又は葉形のいずれかの形状を含むことを特徴とする請求項２記載の吸収性物品。
【発明の詳細な説明】
【技術分野】
【０００１】
本発明は、外装シートと内面シートとその間に挟持された吸収体を備え、パンツ型の紙おむつ等のアウターと組み合わせて使用されるパッドタイプあるいはテープ止めタイプ等の吸収性物品に関するものである。
【背景技術】
【０００２】
紙おむつ等の吸収性物品は、使用者の年齢、性別、用途等に対応して種々の形態のものがある。例えば、パッドタイプの吸収性物品（紙おむつ）は、パンツ型の紙おむつ、おむつカバー、布製下着等のアウターと共に使用される。すなわち、パッドタイプの吸収性物品は、使用者が装着したアウターの内側に挿入されて使用され、使用後は吸収性物品のみが廃棄され、簡易な吸収性物品として、特に成人向けの吸収性物品として広く使用されている。
このパッドタイプの吸収性物品は、外装シート（バックシート）と内面シート（トップシート）とその間に挟持された吸収体を備え、使用者の股部を覆うように腹側から背側にかけて装着され、吸収性物品や吸収体の外形は縦長の形状となっている。
また、パッドタイプの吸収性物品の同様の構成を備え、背側部の両側部にテープ部材（ファスニングテープ）を設け、腹側部の両側部に止着部材（フロントシート）を設けたテープ止めタイプの吸収性物品も、パッドタイプの吸収性物品の同様に広く使用されている。
このテープ止めタイプの吸収性物品は、パッドタイプの吸収性物品と異なって単独で、またはパッドと併用して使用され、その使用に際しては、吸収性物品の腹側部、股側部及び背側部を使用者の腹側、股側及び背側にあてがい、背側部のテープ部材（ファスニングテープ）を腹側部の止着部材（フロントシート）に係合させて使用者に装着される。
そして、パッドタイプやテープ止めタイプ等の吸収性物品を装着するに際しては、吸収性物品の左右部分が均等になるように使用者にあてがう必要があり、そのため、吸収性物品と使用者の中心位置合わせ用として、外装シートには、外装シートの長手方向に延びる中心線（外装シートの短手方向を二分する中心線）に沿って、直線等のセンターライン、直線状に配したドット等やこれに類する表示（以下「センターライン表示」という。）が施される場合が多い。
【０００３】
例えば、特許文献１（特開２００４−２９８５７１号公報）には、裏面シート（外装シート）において、表裏判別手段として、長手方向に延びる中心線近傍（幅方向の中央位置）に直線状の太線形図柄模様等が印刷された吸収性物品が開示されているが、この太線形図柄模様等は、吸収性物品と使用者の中心位置合わせ用としても機能するものである。
そして、外装シートにセンターライン表示を施すに際しては、長手方向において、外装シートの中心にセンターライン表示を施すのが望ましいが、吸収性物品の製造上、基材シート等の材料の蛇行や印刷時の位置ずれ等によって、外装シートの中心から少しずれた位置にセンターライン表示が施される場合がある。
図２６は、上記のようなパッドタイプの吸収性物品を拡げて平面的にした状態の正面図であり、図において、１００は吸収性物品、１０１は外装シート（バックシート）、１０２は吸収体、１０３はセンターライン表示、Ｃ１００は長手方向に延びる中心線である。
図２６に示すように、吸収性物品１００においては、外装シート１０１（これに貼り合わされる内面シートを含む）と吸収体１０２は共に、長手方向上部が左右にふくらみ、同方向中央部が左右にへこみ、同方向下部が左右にふくらんだ形状を有し、その横幅（左右方向の幅）は、中央部、上部、下部の順に広くなっており、外装シート１００の中心線Ｃ１００から少し右にずれた位置にセンターライン表示１０３が施されている。
この場合、上部は腹側部または背側部となり、中央部が股側部となり、下部が背側部または腹側部となるが、横幅（面積）が下部より狭い上部を腹側部とするか背側部とするかは使用者により異なり、例えば、女性の使用者は上部を腹側部とする場合が多く、男性の使用者は上部を背側部とする場合が多い。
【０００４】
そして、この吸収性物品１００は、省スペースや取扱いの便宜等のため、通常、折り畳んだ状態で運搬・保管される。
図２７は、図２６に示す吸収性物品１００を折り畳む状態を説明した説明図であり、同図（ａ）は折畳み前の吸収性物品１００の正面図、同図（ｂ）は折畳み途中の吸収性物品１００の正面図、同図（ｃ）は折畳み後の吸収性物品１００の正面図であり、図においてｆ１０〜ｆ１２は折り線である。
まず、図２７（ａ）に示すような折畳み前の広げた状態の吸収性物品１００は、長手方向の折り線ｆ１０、ｆ１１に沿って、その左側部と右側部が内側に折り畳まれ、同図（ｂ）に示すように３つ折り状態とされる。
次いで、３つ折りされた吸収性物品１００は、長手方向と直角方向の折り線ｆ１２に沿って、内側に折り畳まれ、同図（ｃ）に示すように６つ折り状態とされる。
この場合、図２４（ａ）に示すように外装シート１０１の中心線Ｃ１００から少し右にずれた位置にセンターライン表示１０３が施され、吸収性物品１００と使用者の中心位置が少しずれて吸収性物品１００が装着されても、吸収性物品１００の使用上は問題がない。
しかしながら、使用者（吸収性物品を使用者に装着する装着者を含む）が、外装シート１０１の中心線Ｃ１００からずれた位置にセンターライン表示１０３が施されていることに気づくと、使用者によっては、吸収性物品１００があたかも不良品か粗悪品であるかのような悪い印象を持つ場合がある。
吸収性物品の製造・販売者は、使用者に悪い印象を与えるおそれある製品の出荷を控えることから、センターライン表示１０３が中心線Ｃ１００から少しずれているような吸収性物品１００は、製造時に廃棄せざるを得ないという問題が生ずる。
特に、図２７（ｂ）、（ｃ）のように折り畳んで小さくなった吸収性物品１００では、外装シート１０１の中心線Ｃ１００とセンターライン表示１０３のずれが目立ち、上記のような問題が顕著となる。
上記の点は、テープ止めタイプの吸収性物品においても同じである。
【０００５】
図２８は、図２７（ｃ）に示す折り畳まれた吸収性物品１００の側面図であり、同図（ａ）は１枚の折り畳まれた吸収性物品１００の側面図、同図（ｂ）は折り畳まれた吸収性物品１００を複数枚重ねた状態の側面図を示し、図において１０４（１０４ａ、１０４ｂ）は側面である。
図２８（ｂ）に示すように、吸収性物品１００は、側面１０４が使用者の正面を向くようにして複数枚重ねた状態で保管される。この点は、テープ止めタイプの吸収性物品においても同じである。
ところで、吸収性物品１００には、吸収体１０２の吸収量が異なる等、外形は同じで異なる種類ものが存在することから、その吸収性物品１００がどのような種類であるかを識別するための表示が必要となる。この点は、テープ止めタイプの吸収性物品においても同じである。
例えば、特許文献２（特開２００８−２６４２３２号公報）には、吸収性物品をパッケージから取り出した後であっても、その吸収能力を識別できるようにするため、バックシートに、吸収体の吸収能力を識別可能な識別部としての情報表示部が、各コーナー部及び中央部に合わせて６箇所に印刷表示された吸収性物品が開示されている。
しかしながら、特許文献２の吸収性物品においては、図２４に示すような折り畳まない状態において、バックシートに情報表示部が印刷表示されており、図２８（ｂ）に示すように折り畳まれて複数枚重ねた状態で保管されている吸収性物品に対して、特許文献２の情報表示部は、識別表示として機能しないという問題がある。
また、特許文献２の吸収性物品にはセンターライン表示がなく、センターライン表示が必要な吸収性物品に特許文献２の情報表示部を設けた場合、バックシートの中央部に設けられた情報表示部がセンターライン表示と重なり、センターライン表示が見にくくなってその機能が損なわれという問題が生ずる。
さらに、特許文献２の図４には、バックシートの中央部にその長手方向に沿って情報表示部が４箇所に設けられたテープ止めタイプの吸収性物品が示されているが、この４箇所に設けられた情報表示部は、長手方向の中心線に沿って直線を形成するものではなく、センターライン表示として機能するものではない。
この点、特許文献３（特開２００５−１７７１６０号公報）には、バックシートの面の全体に、長手方向に対して斜め方向の目印を複数列形成して、折り畳んだ状態の吸収性物品の正面や側面等にこの目印が現れるようにし、この目印が連続線であるか不連続線であるかによって吸収性物品の種類を識別できるようにした吸収性物品が開示されている。
しかしながら、長手方向の中心線に沿ってセンターライン表示が施されるパッドタイプやテープ止めタイプ等の吸収性物品においては、特許文献３の目印は、図２６や図２７に示すセンターライン表示１０３と重なり、センターライン表示１０３が見にくくなってその機能が損なわれ、吸収性物品１００と使用者の位置合わせがやりにくくなるという問題が生ずる。
【先行技術文献】
【特許文献】
【０００６】
【特許文献１】特開２００４−２９８５７１号公報
【特許文献２】特開２００８−２６４２３２号公報
【特許文献３】特開２００５−１７７１６０号公報
【発明の概要】
【発明が解決しようとする課題】
【０００７】
本発明が解決しようとする課題は、外装シートと内面シートとの間に吸収体が挟持され、縦長形状であって外装シートの長手方向に延びる中心線に沿ってセンターライン表示が施される吸収性物品において、センターライン表示の機能を損なうことなく、折り畳まれた状態の吸収性物品を、その側面からその種類が明確に識別できるようにすることである。
【課題を解決するための手段】
【０００８】
請求項１の発明は、外装シートと内面シートと、この外装シートと内面シートとの間に挟持され、体液を吸収して保持する吸収体とを備えた縦長形状の吸収性物品であって、前記外装シートには、前記吸収性物品の長手方向に延びる中心線に沿ってセンターライン表示が施され、前記外装シートの前記センターライン表示の両側には、前記センターライン表示に沿って補助パターンが設けられ、前記補助パターンは、前記センターライン表示と重ならないパターンであって、前記吸収性物品の種類ごとに異なったパターンであり、前記補助パターンは、折り畳まれた前記吸収性物品の側面となる側面領域を含む領域に設けられている吸収性物品を提供して、上記課題を解決するものである。
【０００９】
請求項２の発明は、前記センターライン表示は同一形状の複数の第１図形から構成され、この複数の第１図形は、前記中心線上又は前記中心線と平行な直線上に配置された図形列を形成し、前記補助パターンは複数の第２図形又は第３図形から構成されている吸収性物品を提供して、上記課題を解決するものである。
【００１０】
請求項３の発明は、前記第２図形は、前記第１図形と相似している吸収性物品を提供して、上記課題を解決するものである。
【００１１】
請求項４の発明は、前記第２図形は、前記吸収性物品の種類ごとに形状が異なり、ひし形、円形、正方形、星形のいずれかの形状を含む吸収性物品を提供して、上記課題を解決するものである。
【００１２】
請求項５の発明は、前記第１図形は星形又は花形のいずれかの形状を含み、前記第３図形は、前記第１図形に関連する月形又は葉形のいずれかの形状を含む吸収性物品を提供して、上記課題を解決するものである。
【発明の効果】
【００１３】
請求項１に記載の発明の吸収性物品においては、センターライン表示の機能を損なうことなく、折り畳まれた状態の吸収性物品を、その側面からその種類が明確に識別できるという効果を奏する。
【００１４】
請求項２に記載の発明の吸収性物品においては、さらに、吸収性物品と使用者の位置合わせが容易になるという効果を奏する。
【００１５】
請求項３に記載の発明の吸収性物品においては、さらに、センターライン表示と補助パターンがデザイン的に調和しているという効果を奏する。
【００１６】
請求項４に記載の発明の吸収性物品においては、さらに、前記吸収体が、通常の大きさなのか、縦方向に長いのか、横幅が広いのか、横幅の広い縦長なのかのいずれかであるの種別表示ができるという効果を奏する。
【００１７】
請求項５に記載の発明の吸収性物品においては、第１図形と第３図形を観念的に関連するようにできるという効果を奏する。
【図面の簡単な説明】
【００１８】
【図１】本発明が適用されるパッドタイプの吸収性物品を拡げて平面的にした状態の正面図である。
【図２】図１の吸収性物品の背面図である。
【図３】図２のＹ−Ｙ断面図である。
【図４】図２のＸ−Ｘ断面図である。
【図５】起立部５ａ、６ａが起立して立体ギャザーを形成した状態におけるＸ−Ｘ断面図である。
【図６】本発明の一実施形態であるセンターライン表示と補助パターンが設けられた吸収性物品を広げて平面的にした状態の正面図である。
【図７】図６に示す吸収性物品１を折り畳む状態を説明した説明図である。
【図８】吸収性物品１を広げた状態において、センターライン表示１１が中心線ＣＬから右に少しずれた位置に設けられた場合の状態を示した説明図である。
【図９】吸収性物品１を内面シート側に折り畳んで３つ折りとした状態において、センターライン表示１１が中心線ＣＬから右に少しずれた位置に設けられた場合の状態を示した説明図である。
【図１０】３つ折りした吸収性物品１を内面シート側に折り畳んだ６つ折りとした状態において、センターライン表示１１が中心線ＣＬから右に少しずれた位置に設けられた場合の状態を示した説明図である。
【図１１】センター表示１１と補助パターン１３Ａ、１３Ｂとは異なるパターンのセンター表示と補助パターン（第１の例）を設けた吸収性物品１を広げて平面的にした状態の平面図である。
【図１２】センター表示１１と補助パターン１３Ａ、１３Ｂとは異なるパターンのセンター表示と補助パターン（第２の例）を設けた吸収性物品１を広げて平面的にした状態の平面図である。
【図１３】センター表示１１と補助パターン１３Ａ、１３Ｂとは異なるパターンのセンター表示と補助パターン（第３の例）を設けた吸収性物品１を広げて平面的にした状態の平面図である。
【図１４】センター表示１１と補助パターン１３Ａ、１３Ｂとは異なるパターンのセンター表示と補助パターン（第４の例）を設けた吸収性物品１を広げて平面的にした状態の平面図である。
【図１５】センター表示１１と補助パターン１３Ａ、１３Ｂとは異なるパターンのセンター表示と補助パターン（第５の例）を設けた吸収性物品１を広げて平面的にした状態の平面図である。
【図１６】複数の単位図形からなる組合せ図形が種別表示となる一例を説明する説明図である。
【図１７】図１６の組合せ図形７１に数字を付して吸収体の吸収量を表した種別表示を説明する説明図である。
【図１８】図１６の組合せ図形７１に文字を付して吸収性物品の種類を表した種別表示を説明する説明図である。
【図１９】組合せ図形７１ａ〜７１ｅのいずれかからなる図形列の一例をセンターライン表示とした吸収性物品１を広げて平面的にした状態の平面図である。
【図２０】組合せ図形７１ａ〜７１ｅのいずれかからなる図形列の他の例をセンターライン表示とした吸収性物品１を広げて平面的にした状態の平面図である。
【図２１】複数の単位図形からなる組合せ図形が吸収量識別表示となる他の例を説明する説明図である。
【図２２】組合せ図形７５ａ〜７５ｄのいずれかからなる図形列の一例をセンターライン表示とした吸収性物品１を広げて平面的にした状態の平面図である。
【図２３】本発明の一実施形態であるセンターライン表示と補助パターンが設けられたテープ止めタイプの吸収性物品を広げて平面的にした状態の正面図である。
【図２４】センター表示・補助パターンに合わせて判別表示を設けた吸収性物品１を広げて平面的にした状態の平面図である。
【図２５】文字を付加した判別表示５１Ａ〜５１Ｄの例を示した説明図である。
【図２６】パッドタイプの吸収性物品を拡げて平面的にした状態の正面図である。
【図２７】図２６に示す吸収性物品１００を折り畳む状態を説明した説明図である。
【図２８】図２７に示す折り畳まれた吸収性物品１００の側面図である。
【発明を実施するための形態】
【００１９】
［パッドタイプの吸収性物品の基本構成］
本発明をパッドタイプの吸収性物品に適用した実施形態について説明するが、まず、パッドタイプの吸収性物品の基本構成について説明する。
図１は、本発明が適用されるパッドタイプの吸収性物品を拡げて平面的にした状態の正面図、図２は図１の吸収性物品の背面図、図３は図２のＹ−Ｙ断面図、図４は図２のＸ−Ｘ断面図である。
図中、１はパッドタイプの吸収性物品、２は吸収体、３は外装シート、３ａはポリエチレンフィルム、３ｂは不織布、４は内面シート、５、６は立体ギャザーシート、５ａ、６ａは起立部、５ｂ、６ｂは先端縁、５ｃ、６ｃは折返し部、ＣＬは長手方向に延びる中心線、ＳＦはサイドフラップ、Ｄ１、Ｄ２は弾性部材であり、吸収性物品１の長手方向と直角方向（横方向）Ｘ方向、長手方向（縦方向）をＹ方向とする。
図に示すように吸収性物品１は、吸収体２と、これを正面側から覆う外装シート３と、吸収体２を背面側から覆う内面シート４と、内面シート４に重ねられる立体ギャザーシート５、６から構成される。
吸収体２は、高吸収性ポリマー粒子を含む綿状パルプを主体としてこれに吸収紙等（図示せず）を組み合わせたものからなり、使用者が排出した体液等を吸収して保持する。
外装シート３は、バックシートとも呼ばれ、図３と図４に示すように不透液性のポリエチレンフィルム３ａと不織布３ｂを積層したものである。不織布３ｂは外観や肌ざわりを良くするために積層しているもので、ポリエチレンフィルム３ｂだけで外装シート３が構成されていてもよい。
また、吸収性物品１を表す図には示していないが、通常、紙おむつに使用されるようなアウターや身体に吸収性物品を固定する手段として、粘着材、フック材などの係止手段を外装シート３に設けたり、ベルト状やタブ状の固定手段を外装シート３に設けてもよい。
内面シート４は、トップシートとも呼ばれ、不織布からなる。
この外装シート３と内面シート４は、吸収体２の周縁より外側で重なり合い、この重なり合う部分で互いに接着剤（図示せず）や熱融着により接着され、これにより、吸収体２が封入される。
【００２０】
立体ギャザーシート５、６は、不織布からなり、図４に示すように起立部５ａ、６ａを除いて外装シート３に接着剤（図示せず）で接着されている。起立部５ａ、６ａは、その先端部が折り返されて折返し部５ｂ、６ｂを形成し、この折返し部５ｂ、６ｂにゴム糸等の弾性部材Ｄ１、Ｄ２が挟まれ、折返し部５ｂ、６ｂの重なり合う面は接着剤（図示せず）や熱融着によって接着されている。
図５は、起立部５ａ、６ａが起立して立体ギャザーを形成した状態におけるＸ−Ｘ断面図である。
弾性部材Ｄ１、Ｄ２は、図２に示すように、吸収性物品１の長手方向に沿って配置され、伸長した状態で折返し部５ｂ、６ｂに接着固定されるため、弾性部材Ｄ１、Ｄ２が縮むことにより、吸収性物品１全体が、長手方向に外装シート３側が凸となるように湾曲し、これにより図５に示すように先端縁５ｂ、６ｂが内面シートから離れて起立部５ａ、６ａがハの字状に起立し、アーチ状の立体ギャザーを形成する。このようにして立体ギャザーを形成することにより、体液等の横漏れが防止される。
サイドフラップＳＦは、外装シート３と内面シート４を貼り合わせたフラップ状の部分であり、吸収体２の周縁より外側に形成されている。
なお、弾性部材Ｄ１、Ｄ２は、各1本ずつ配置されているが、複数本ずつ配置してもよく、また、立体ギャザーシート５、６は、上記と異なる構成であってもよく、さらに、立体ギャザーシート５、６を設けなくてもよい。
【００２１】
［吸収性物品１と吸収体２の外形］
吸収性物品１の外形と吸収体２の外形は、図１に示すように近似し、共にＹ方向（縦方向）に縦長の形状であって、Ｘ方向（横方向）の幅（横幅）は変化している。
そして、Ｙ方向の上部、下部（以下単に「上部」、「下部」という。）において、吸収性物品１の吸収体２の外形はＸ方向にふくらみ、Ｙ方向の中央部（以下単に「中央部」という。）において、吸収性物品１と吸収体２の外形はＸ方向にへこみ、下部の横幅は上部の横幅より広く、下部の面積も上部の面積より広くなっている。
すなわち、吸収性物品１と吸収体２は共に、中央部、上部、下部の順に横幅と面積が広くなっている。
このように吸収性物品１と吸収体２の外形の横幅と面積を変化させているのは、股部より幅も長さも大きい吸収性物品を、身体に沿った形状にすることで、吸収体や立体ギャザーを使用者の腹側、股側及び背側（臀部）に密着させ、使用者が排出する体液等の漏れを防止したり、吸収体の剛性による違和感を軽減するためである。
この場合、中央部は使用者の股部にあてがわれる股側部となる。
また、広い方のふくらみ部である下部が、使用者の腹側にあてがう腹側部となるか背側（臀部）にあてがう背側部となるかは、必ずしも一定しておらず、使用者や用途によって異なっている。
例えば、使用者が女性の場合は、下部が背側（臀部）にあてがう背側部となることが多く、使用者が男性の場合は、下部が腹側にあてがう腹側部となることが多い。また、ベッドに横になって使用する場合は、下部を背側（臀部）の下に敷き込むようすることから、使用者の性別にかかわらず、下部が背側部となる。
なお、本発明が適用されるパッドタイプの吸収性物品等の形状（外形）は、図１に示す吸収性物品１のような上部と下部がＸ方向にふくらんだ外形に限定されるものではなく、上部または下部のいずれか一方のみがＸ方向にふくらみ、他方は中央部と同じ横幅であってもよく、横幅が一定のものであってもよい。吸収体についても同様に、上部または下部のいずれか一方のみがＸ方向にふくらみ、他方は中央部と同じ横幅であってもよく、横幅が一定のものであってもよい。
【００２２】
［センターライン表示と補助パターンが設けられたパッドタイプの吸収性物品］
図６は、本発明の一実施形態であるセンターライン表示と補助パターンが設けられたパッドタイプの吸収性物品を広げて平面的にした状態の正面図であり、図において、１０は第１図形、１１はセンターライン表示、１２ａ、１２ｂは第２図形、１３Ａ、１３Ｂは補助パターン、ｆ１、ｆ２は縦折り線、ｆ３は横折り線、ＳＲ１、ＳＲ２は折り畳んだ吸収性物品１の側面となる側面領域である。
図６に示すように、吸収性物品１においては、中心線ＣＬに沿ってセンターライン表示１１が設けられ、その両側に補助パターン１３Ａ、１３Ｂが設けられている。
センターライン表示１１は、ひし形（正方形）の第１図形１０がＹ方向（長手方向）に多数配置された２列の図形列から構成され、各図形列を形成する第１図形１０は同一形状となっており、中心線ＣＬと平行な直線上に配置されている。このセンターライン表示１１は、通常、その長手方向に延びる中心線（対称軸）が中心線ＣＬと一致するように配置される。
本実施形態においては、センターライン表示１１は２列の図形列から構成されているが、第１図形１０を中心線ＣＬに配置した１列の図形列からセンターライン表示１１を構成してもよく、３列以上の図形列で構成してもよい。
また、補助パターン１３Ａは、第１図形１０と相似形のひし形（正方形）の第２図形１２ａがＹ方向に複数配置された図形列から構成され、補助パターン１３Ｂは、第１図形１０と相似形のひし形（正方形）の第２図形１２ｂがＹ方向に複数配置された図形列から構成され、各図形列の第２図形１２ａ、１２ｂの大きさは異なり、補助パターン１３Ａ、１３Ｂは、中心線ＣＬに平行な直線を形成しない屈曲したパターンとなっている。
センターライン表示１１を構成する第１図形１０や補助パターン１３Ａ、１３Ｂを構成する第２図形１２ａ、１２ｂの大きさ、個数等は、図６に示すものに限定されず、これらを変えてもよい。例えば、第１図形１０を図６のものより大きくして、個数を減らしてセンターライン表示１１を構成してもよく、逆に、図形１０を図６のものより小さくして、個数を増やしてセンターライン表示１１を構成してもよい。
センターライン表示１１と補助パターン１３Ａ、１３Ｂ（以下「センターライン表示１１等」という。）は、外装シート３のポリエチレンフィルム３ａに印刷されることにより設けられる。センターライン表示１１等が印刷されたポリエチレンフィルム３ａは不織布３ｂに覆われているが、不織布３ｂは薄いため、外部からセンターライン表示１１等を視認することができる。
また、センターライン表示１１等は、ポリエチレンフィルム３ａではなく不織布３ｂの外側の面あるいは内側の面に印刷してもよい。
さらに、センターライン表示１１等の表示方法も印刷に限定されるものではなく、センターライン表示１１等を印刷したラベル等をポリエチレンフィルム３ａあるいは不織布３ｂ等に貼り付けたりしてもよい。
【００２３】
［吸収性物品の折り畳み］
そして、センターライン表示１１等が設けられた吸収性物品１は、省スペースや取扱いの便宜等のため、通常、折り畳んだ状態で運搬・保管される。
図７は、図６に示す吸収性物品１を折り畳む状態を説明した説明図であり、同図（ａ）は折畳み途中の吸収性物品１の正面図、同図（ｂ）は折畳み後の吸収性物品１の正面図である。
まず、図６に示すような折畳み前の広げた状態の吸収性物品１は、縦折り線ｆ１、ｆ２に沿って、その左側部と右側部が内側に折り畳まれ、図７（ａ）に示すように３つ折り状態とされる。
次いで、３つ折りされた吸収性物品１は、横折り線ｆ３に沿って内側に折り畳まれ、図７（ｂ）に示すように６つ折り状態とされる。
【００２４】
［補助パターンの機能１］
次に、補助パターン１３Ａ、１３Ｂの機能の機能について説明するが、まず、吸収性物品１において、センターライン表示１１が中心線ＣＬから左右方向（Ｘ方向）にずれた位置に設けられた場合の、補助パターン１３Ａ、１３Ｂの機能（機能１）について説明する。
図８は、吸収性物品１を広げた状態において、センターライン表示１１が中心線ＣＬから右に少しずれた位置に設けられた場合の状態を示した説明図であり、図を見やすくするため中心線ＣＬは図示しないこととする。
図８（ａ）は、センターライン表示１１だけが中心線ＣＬから右に少しずれた位置に設けれ、補助パターン１３Ａ、１３Ｂは左右方向にずれずに設けられた場合を示し、同図（ｂ）は、センターライン表示１１と補助パターン１３Ａ、１３Ｂの両方が中心線ＣＬから右に少しずれた位置に設けられた場合を示し、同図（ｃ）は、補助パターン１３Ａ、１３Ｂがない状態でセンターライン表示１１が中心線ＣＬから右に少しずれた位置に設けられた場合を示している。
図８から明らかなように、補助パターン１３Ａ、１３Ｂがない図８（ｃ）においては、センターライン表示１１が右にずれていることが視覚的に分るが、補助パターン１３Ａ、１３Ｂのある同図（ａ）、（ｂ）においては、センターライン表示１１が右にずれていることが視覚的に分りにくくなっている。
図９は、吸収性物品１を縦折り線ｆ１、ｆ２に沿って内面シート側に折り畳んで３つ折りとした状態において、センターライン表示１１が中心線ＣＬから右に少しずれた位置に設けられた場合の状態を示した説明図であり、同図（ａ）〜（ｃ）は、図８（ａ）〜（ｃ）と同じ場合を示しており、この場合も図を見やすくするため中心線ＣＬは図示しないこととする。
図９から明らかなように、補助パターン１３Ａ、１３Ｂがない図９（ｃ）においては、センターライン表示１１が右にずれていることが目立っており、視覚的にもずれが十分に分るが、補助パターン１３Ａ、１３Ｂのある同図（ａ）、（ｂ）においては、センターライン表示１１が右にずれていることがそれほど目立たず、視覚的にもずれがわかりにくくなっている。
図１０は、３つ折りした吸収性物品１を横折り線ｆ３に沿って内面シート側に折り畳んだ６つ折りとした状態において、センターライン表示１１が中心線ＣＬから右に少しずれた位置に設けられた場合の状態を示した説明図であり、同図（ａ）〜（ｃ）は、図８（ａ）〜（ｃ）と同じ場合を示しており、この場合も図を見やすくするため中心線ＣＬは図示しないこととする。
図１０から明らかなように、図９と同様に、補助パターン１３Ａ、１３Ｂがない図１０（ｃ）においては、センターライン表示１１が右にずれていることが目立っており、視覚的にもずれが十分に分るが、補助パターン１３Ａ、１３Ｂのある同図（ａ）、（ｂ）においては、センターライン表示１１が右にずれていることがそれほど目立たず、視覚的にもずれがわかりにくくなっている。
このように、補助パターン１３Ａ、１３Ｂは、センターライン表示１１が、吸収性物品１の中心線ＣＬから左右方向にずれた位置に設けられた場合であっても、そのずれを分りにくくし、使用者に対してセンターライン表示１１がずれていること意識させない機能１を果たす。
【００２５】
［補助パターンの機能２］
次に、補助パターン１３Ａ、１３Ｂが果たす吸収性物品の種別表示機能について説明する。
吸収性物品１においては、吸収体２の大きさ・形状や体液の吸収量が異なるものが数種類用意され、使用者は、その中から自己に適したものを選択して使用する。
そのため、吸収性物品１には、吸収体２の大きさ・形状や体液の吸収量を区別するための種別表示がなされる。
例えば、通常の大きさの吸収体２を備えた縦長の吸収性物品１に対しては「ロング」の文字が付され、それより縦方向（Ｙ方向）に長い吸収体２を備えた縦長の吸収性物品１に対しては「スーパーロング」の文字が付され、横幅（Ｘ方向）の広い吸収体２を備えた縦長の吸収性物品１に対しては「ワイド」の文字が付され、さらに横幅（Ｘ方向）の広い吸収体２を備えた縦長の吸収性物品１に対しては「エキストラワイド」の文字が付され、これらの「ロング」、「スーパーロング」、「ワイド」、エキストラワイド」の文字が種別表示となる。
このような種別表示は、通常、吸収性物品１の左右方向（Ｘ方向）の中央部分のセンターライン表示１１と重ならない位置に、中心線ＣＬを跨ぐように設けられる。
しかしながら、吸収性物品１は、図７（ｂ）に示すような６つ折りに折り畳まれた状態で複数枚重ねて保管され（図１８（ｂ）参照）、吸収性物品１の左右方向の中央部分に設けた種別表示は、隠れて見えなくなり機能しないこととなる。
このため、吸収性物品１においては、縦折り線ｆ１、ｆ２と横折り線ｆ３に沿って６つ折りに折り畳まれた吸収性物品１の側面（図１８の側面１０４）となる側面領域（縦折り線ｆ１、ｆ２より外側の領域）ＳＲ１、ＳＲ２（図６）に種別表示を施す必要がある。
この点、図６に示すように補助パターン１３Ａ、１３Ｂは、そのＸ方向の中央部分から外側部分が側面領域ＳＲ１、ＳＲ２に設けられ、折り畳まれて複数枚重ねられた吸収性物品１の種別表示として外部から視認できる位置に設けられている。
そして、後述するように吸収性物品１の種類に応じて異なるパターンの補助パターンを、側面領域ＳＲ１、ＳＲ２を含む領域に設けることにより、補助パターン１３Ａ、１３Ｂ等は、吸収性物品１の種別表示としての機能２を果す。
【００２６】
［センターライン表示と補助パターンの他の例］
図１１〜図１５は、センター表示１１と補助パターン１３Ａ、１３Ｂとは異なるパターンのセンター表示と補助パターン（第１〜第５の例）を設けた吸収性物品１を広げて平面的にした状態の平面図であり、図において、２０、３０、４０、５０、６０は第１図形、２１、３１、４１、５１、６１はセンターライン表示、２２ａ、２２ｂ、３２ａ、３２ｂ、４２ａ、４２ｂ、５２ａ、５２ｂ、６２ａ、６２ｂは第２図形、２３Ａ、２３Ｂ、３３Ａ、３３Ｂ、４３Ａ、４３Ｂ、５３Ａ、５３Ｂ、６３Ａ、６３Ｂは補助パターンである。
図１１〜図１５に示すように、吸収性物品１においては、中心線ＣＬに沿ってセンターライン表示２１、３１、４１、５１、６１が設けられ、その両側に補助パターン２３Ａ、２３Ｂ、３３Ａ、３３Ｂ、４３Ａ、４３Ｂ、５３Ａ、５３Ｂ、６３Ａ、６３Ｂが設けられている。
【００２７】
図１１に示す第１の例のセンターライン表示２１は、円形の第１図形２０がＹ方向（長手方向）に多数配置された２列の図形列から構成され、各図形列を形成する第１図形２０は同一形状となっている。
図１１に示す第１の例の補助パターン２３Ａは、第１図形２０と相似形の円形の第２図形２２ａがＹ方向に複数配置された図形列から構成され、補助パターン２３Ｂは、第１図形２０と相似形の円形の第２図形２２ｂがＹ方向に複数配置された図形列から構成され、各図形列の第２図形２２ａ、２２ｂの大きさは異なり、補助パターン２３Ａ、２３Ｂは、補助パターン１３Ａ、１３Ｂと同様に、中心線ＣＬに平行な直線を形成しない屈曲したパターンとなっている。
図１２に示す第２の例のセンターライン表示３１は、正方形の第１図形３０がＹ方向（長手方向）に多数配置された２列の図形列から構成され、各図形列を形成する第１図形３０は同一形状となっている。
図１２に示す第２の例の補助パターン３３Ａは、第１図形３０と相似形の正方形の第２図形３２ａがＹ方向に複数配置された図形列から構成され、補助パターン３３Ｂは、第１図形３０と相似形の正方形の第２図形３２ｂがＹ方向に複数配置された図形列から構成され、各図形列の第２図形３２ａ、３２ｂの大きさは異なり、補助パターン３３Ａ、３３Ｂは、補助パターン１３Ａ、１３Ｂと同様に、中心線ＣＬに平行な直線を形成しない屈曲したパターンとなっている。
図１３に示す第３の例のセンターライン表示４１は、星形の第１図形４０がＹ方向（長手方向）に多数配置された２列の図形列から構成され、各図形列を形成する第１図形４０は同一形状となっている。
図１３に示す第３の例の補助パターン４３Ａは、第１図形４０と相似形の星形の第２図形４２ａがＹ方向に複数配置された図形列から構成され、補助パターン４３Ｂは、第１図形４０と相似形の星形の第２図形４２ｂがＹ方向に複数配置された図形列から構成され、各図形列の第２図形４２ａ、４２ｂの大きさは異なり、補助パターン４３Ａ、４３Ｂは、補助パターン１３Ａ、１３Ｂと同様に、中心線ＣＬに平行な直線を形成しない屈曲したパターンとなっている。
【００２８】
図１４に示す第４の例のセンターライン表示５１は、第１図形４０（図１３）とは異なる形状の星形の第１図形５０がＹ方向（長手方向）に多数配置された２列の図形列から構成され、各図形列を形成する第１図形５０は同一形状となっている。
図１４に示す第４の例の補助パターン５３Ａは、第１図形５０が表す星と観念的に関連した月を表す月形の第３図形５２ａがＹ方向に複数配置された図形列から構成され、補助パターン５３Ｂは、第１図形５０が表す星と観念的に関連した月を表す月形の第３図形５２ｂがＹ方向に複数配置された図形列から構成され、各図形列の第３図形５２ａ、５２ｂの大きさは異なり、補助パターン５３Ａ、５３Ｂは、補助パターン１３Ａ、１３Ｂと同様に、中心線ＣＬに平行な直線を形成しない屈曲したパターンとなっている。
図１５に示す第５の例のセンターライン表示６１は、花形の第１図形５０がＹ方向（長手方向）に多数配置された２列の図形列から構成され、各図形列を形成する第１図形５０は同一形状となっている。
図１５に示す第５の例の補助パターン６３Ａは、花形の第１図形６０が表す花びらと観念的に関連した葉っぱを表す葉形の第３図形６２ａがＹ方向に複数配置された図形列から構成され、補助パターン６３Ｂは、花形の第１図形６０が表す花びらと観念的に関連した葉っぱを表す葉形の第３図形６２ｂがＹ方向に複数配置された図形列から構成され、各図形列の第３図形６２ａ、６２ｂの大きさは異なり、補助パターン６３Ａ、６３Ｂは、補助パターン１３Ａ、１３Ｂと同様に、中心線ＣＬに平行な直線を形成しない屈曲したパターンとなっている。
【００２９】
［各補助パターンと吸収性物品の種類の関係］
パターンの異なる補助パターン１３Ａ・１３Ｂ、２３Ａ・２３Ｂ、３３Ａ・３３Ｂ、４３Ａ・４３Ｂを吸収性物品１の種類に応じて設けることにより、補助パターン１３Ａ・１３Ｂは、吸収性物品１の種別表示として機能することとなる。
例えば、通常の大きさの吸収体２を備えた縦長の吸収性物品１に対しては、図１１の補助パターン２３Ａ・２３Ｂを設け、それより縦方向（Ｙ方向）に長い吸収体２を備えた縦長の吸収性物品１に対しては、図１２の補助パターン３３Ａ・３３Ｂを設け、横幅（Ｘ方向）の広い吸収体２を備えた縦長の吸収性物品１に対しては、図６の補助パターン１３Ａ・１３Ｂを設け、さらに横幅（Ｘ方向）の広い吸収体２を備えた縦長の吸収性物品１に対しては、図１３の補助パターン４３Ａ・４３Ｂを設けるようにする。
そして、各補助パターン１３Ａ・１３Ｂ、２３Ａ・２３Ｂ、３３Ａ・３３Ｂ、４３Ａ・４３Ｂは、センター表示１１、２１、３１、４１と重ならなないから、これらのセンター表示の機能を損わないで設けることができる。
なお、センター表示１１、２１、３１、４１も、吸収性物品１の種類に対応していることから、種別表示として機能することとなる。
また、図１４、１５に示すような観念的に関連するセンターライン表示と補助パターンの組合せを複数組用意し、これを吸収性物品１の種別表示として用いてもよい。
【００３０】
［吸収性物品の種別表示］
次に、センターライン表示が吸収性物品の種別を特定する種別表示となる場合について説明する。
図１６は、複数の単位図形からなる組合せ図形が種別表示となる一例を説明する説明図であり、図において、７０ａ、７０ｂは単位図形、７１（７１ａ〜７１ｅ）は組合せ図形である。
図１６（ａ）に示すように、組合せ図形７１は、５個の花びら形状の単位図形７０ａを花の形に配置した形状を備え、各単位図形７０ａを塗りつぶした単位図形７０ｂの数により、吸収性物品の種別の１つである吸収体（吸収性物品）の吸収量（最大吸収量）を表している。
すなわち、吸収体（吸収性物品）の吸収量を５段階とすると（吸収量の小さいものから順にレベル１、レベル２、レベル３、レベル４、レベル５とする）、最上部の花びらのみを単位図形７０ｂとした組合せ図形７１ａ（図１６（ｂ））がレベル１の吸収量を表し、最上部と左上部の花びら２個を単位図形７０ｂとした組合せ図形７１ｂ（同図（ｃ））がレベル２の吸収量を表し、最上部と左右上部の花びら３個を単位図形７０ｂとした組合せ図形７１ｃ（同図（ｄ））がレベル３の吸収量を表し、最上部、左右上部及び右下部の花びら４個を単位図形７０ｂとした組合せ図形７１ｄ（同図（ｅ））がレベル４の吸収量を表し、全ての花びら５個を単位図形７０ｂとした組合せ図形７１ｅ（同図（ｆ））がレベル５の吸収量を表している。
【００３１】
図１７は、図１６の組合せ図形７１に数字を付して吸収体の吸収量を表した種別表示を説明する説明図であり、図において、７１’（７１ａ’〜７１ｅ’）は組合せ図形である。
図１７（ａ）に示すように、組合せ図形７１’の各単位図形７０ａには吸収体の吸収レベルを示す１〜５の数字が付され、同図（ｂ）〜（ｆ）に示すように、吸収レベルに応じて塗りつぶした単位図形７０ｂにその吸収レベルを表す白抜きの数字を付している。
すなわち、最上部の花びらのみを単位図形７０ｂとしてそれに白抜きの数字「１」を付した組合せ図形７１ａ’（図１７（ｂ））がレベル１の吸収量を表し、最上部と左上部の花びら２個を単位図形７０ｂとして白抜きの数字「２」を付した組合せ図形７１ｂ’（同図（ｃ））がレベル２の吸収量を表し、最上部と左右上部の花びら３個を単位図形７０ｂとして白抜きの数字「３」を付した組合せ図形７１ｃ’（同図（ｄ））がレベル３の吸収量を表し、最上部、左右上部及び右下部の花びら４個を単位図形７０ｂとして白抜きの数字「４」を付した組合せ図形７１ｄ’（同図（ｅ））がレベル４の吸収量を表し、全ての花びら５個を単位図形７０ｂとして白抜きの数字「５」を付した組合せ図形７１ｅ’（同図（ｆ））がレベル５の吸収量を表している。
【００３２】
図１８は、図１６の組合せ図形７１に文字を付して吸収性物品の種類を表した種別表示を説明する説明図であり、図において、７１”（７１ａ”〜７１ｅ”）は組合せ図形である。
図１８（ａ）に示すように、組合せ図形７１”の各単位図形７０ａには吸収性物品の種類を示す文字「Ｒ」、「Ｌ」、「Ｗ」、「ＳＬ」、「ＥＷ」の文字が付され、同図（ｂ）〜（ｆ）に示すように、吸収性物品の種類に応じて塗りつぶした単位図形７０ｂにその種類を表す白抜きの文字を付している。
すなわち、最上部の花びらのみを単位図形７０ｂとしてそれに白抜きの文字「Ｒ」を付した組合せ図形７１ａ”（図１８（ｂ））が通常（レギュラー）の大きさの種類を表し、最上部と左上部の花びら２個を単位図形７０ｂとして白抜きの文字「Ｌ」を付した組合せ図形７１ｂ”（同図（ｃ））が「ロング」の文字で示される種類を表し、最上部と左右上部の花びら３個を単位図形７０ｂとして白抜きの文字「Ｗ」を付した組合せ図形７１ｃ”（同図（ｄ））が「ワイド」の文字で示される種類を表し、最上部、左右上部及び右下部の花びら４個を単位図形７０ｂとして白抜きの文字「ＳＬ」を付した組合せ図形７１ｄ”（同図（ｅ））が「スーパーロング」の文字で示される種類を表し、全ての花びら５個を単位図形７０ｂとして白抜きの文字「ＥＷ」を付した組合せ図形７１ｅ”（同図（ｆ））が「エキストラワイド」の文字で示される種類を表している。
【００３３】
図１９は、組合せ図形７１ａ〜７１ｅのいずれかからなる図形列の一例をセンターライン表示とした吸収性物品１を広げて平面的にした状態の平面図であり、図において、７２はセンターライン表示である。
図１９に示すように、センターライン表示７２は、組合せ図形７１ａを吸収性物品１の中心線ＣＬ上に配置した１列の図形列から構成される。組合せ図形７１ａは、レベル１の吸収量を表すことから、センターライン表示７２は、レベル１の吸収量の吸収性物品１を示すこととなる。
そして、レベル２の吸収量の吸収性物品１に対しては、レベル２の吸収量を表す組合せ図形７１ｂからなる図形列をセンターライン表示とし、レベル３の吸収量の吸収性物品１に対しては、レベル３の吸収量を表す組合せ図形７１ｃからなる図形列をセンターライン表示とし、レベル４の吸収量の吸収性物品１に対しては、レベル４の吸収量を表す組合せ図形７１ｄからなる図形列をセンターライン表示とし、レベル５の吸収量の吸収性物品に対しては、レベル５の吸収量を表す組合せ図形７１ｅからなる図形列をセンターライン表示とすることにより、センターライン表示が吸収性物品の吸収量による種別表示として機能することとなる。
【００３４】
図２０は、組合せ図形７１ａ〜７１ｅのいずれかからなる図形列の他の例をセンターライン表示とした吸収性物品１を広げて平面的にした状態の平面図であり、図において、７３はセンターライン表示である。
図２０に示すように、センターライン表示７３は、組合せ図形７１ｂを吸収性物品１の中心線ＣＬを挟んだ中心線ＣＬと平行な線上に配置した２列の図形列から構成される。組合せ図形７１ｂは、レベル２の吸収量を表すことから、センターライン表示７３は、レベル２の吸収量の吸収性物品１を示すこととなる。
そして、レベル１〜５の吸収量の吸収性物品１を表す組合せ図形７１ａ〜７１ｅからなる２列の図形列をセンターライン表示とすることにより、センターライン表示が吸収量識別表示として機能することとなる。
また、吸収量識別表示としてのセンターライン表示７２、７３が設けられた吸収性物品１には、図１４に示す吸収性物品１と同様に、センターライン表示７２、７３の両側に、葉形の第３図形６２ａ、６２ｂがＹ方向に複数配置された図形列から構成される補助パターン６３Ａ、補助パターン６３Ｂが設けられている。
補助パターン６３Ａ、６３Ｂは、中心線ＣＬに平行な直線を形成しない屈曲したパターンとなっており、使用者に対してセンターライン表示７２、７３がずれていること意識させない機能や吸収性物品１の種別表示としての機能を果たす。
【００３５】
図２１は、複数の単位図形からなる組合せ図形が吸収性物品の種別表示となる他の例を説明する説明図であり、図において、７４ａ、７４ｂは単位図形、７５（７５ａ〜７５ｄ）は組合せ図形である。
図２１（ａ）に示すように、組合せ図形７５は、４個のハート形の花びら形状の単位図形７４ａを花の形に配置した形状を備え、各単位図形７４ａを塗りつぶした単位図形７４ｂの数により、吸収体（吸収性物品）の吸収量（最大吸収量）を表している。
すなわち、吸収体（吸収性物品）の吸収量を４段階とすると（吸収量の小さいものから順にレベル１、レベル２、レベル３、レベル４４とする）、上側の花びらのみを単位図形７４ｂとした組合せ図形７５ａ（図２１（ｂ））がレベル１の吸収量を表し、上側と左側の花びら２個を単位図形７４ｂとした組合せ図形７５ｂ（同図（ｃ））がレベル２の吸収量を表し、上側、左側及び右側の花びら３個を単位図形７４ｂとした組合せ図形７５ｃ（同図（ｄ））がレベル３の吸収量を表し、全ての花びら４個を単位図形７４ｂとした組合せ図形７５ｄ（同図（ｅ））がレベル４の吸収量を表している。
図２２は、組合せ図形７５ａ〜７５ｄのいずれかからなる図形列の一例をセンターライン表示とした吸収性物品１を広げて平面的にした状態の平面図であり、図において、７６はセンターライン表示である。
図２２に示すように、センターライン表示７６は、組合せ図形７５ｂを吸収性物品１の中心線ＣＬを挟んだ中心線ＣＬと平行な線上に配置した２列の図形列から構成される。組合せ図形７５ｂは、レベル２の吸収量を表すことから、センターライン表示７６は、レベル２の吸収量の吸収性物品１を示すこととなる。
そして、レベル１〜４の吸収量の吸収性物品１を表す組合せ図形７５ａ〜７５ｄからなる２列の図形列をセンターライン表示とすることにより、センターライン表示が吸収性物品の吸収量による種別表示として機能することとなる。
また、センターライン表示７６が設けられた吸収性物品１には、図１４に示す吸収性物品１と同様に、センターライン表示７６の両側に、葉形の第３図形６２ａ、６２ｂがＹ方向に複数配置された図形列から構成される補助パターン６３Ａ、補助パターン６３Ｂが設けられている。
補助パターン６３Ａ、６３Ｂは、中心線ＣＬに平行な直線を形成しない屈曲したパターンとなっており、使用者に対してセンターライン表示７６がずれていること意識させない機能や吸収性物品１の種類を特定する種別表示としての機能を果たす。
【００３６】
［センターライン表示と補助パターンが設けられたテープ止めタイプの吸収性物品］
図２３は、本発明の一実施形態であるセンターライン表示と補助パターンが設けられたテープ止めタイプの吸収性物品を広げて平面的にした状態の正面図であり、図において、８０はテープ止めタイプの吸収性物品、８２は吸収体、８３は外装シート、８７（８７ａ、８７ｂ）はテープ部材であるファスニングテープ、８８は止着部材であるフロントテープ、１１Ａはセンターライン表示、１３Ｃ、１３Ｄは補助パターンである。
図２２に示すように、吸収性物品８０は、図１の吸収性物品１と同様に、吸収体８２と、これを正面側から覆う外装シート８３と、吸収体８２を背面側から覆う内面シート（図示せず）と、この内面シートに重ねられる立体ギャザーシート（図示せず）を備え、Ｙ方向下部のＸ方向両端部には、外側に突出するファスニングテープ８７ａ、８７ｂが取付けられ、外装シート８８のＹ方向上部には、Ｘ方向（左右方向）長さのほぼ３／４を占める長方形状の止着部材であるフロントテープ８８が取付けられている。
吸収性物品８０と吸収体８２の形状は、図１の吸収性物品１と吸収体２の形状とは異なり、Ｘ方向において、上部と下部においてふくらみがなく、上部と下部の間の央部分が内側に湾曲してへんこんだ形状となっている。
この吸収性物品４０の使用に際しては、上部を使用者の腹側又は背側にあてがい、下部を使用者の背側又は腹側にあてがい、ファスニングテープ８７ａ、８７ｂをフロントテープ８８に係合させる。これにより、吸収性物品８０が使用者に装着固定されることとなる。
【００３７】
そして、吸収性物品８０には、図６に示す吸収性物品１と同様に、中心線ＣＬに沿ってセンターライン表示１１Ａが設けられ、その両側に補助パターン１３Ｃ、１３Ｄが設けられている。
センターライン表示１１Ａは、センターライン表示１１（図６）と同様に、ひし形（正方形）の第１図形１０がＹ方向（長手方向）に多数配置された２列の図形列から構成され、各図形列を形成する第１図形１０は同一形状となっており、中心線ＣＬと平行な直線上に配置されている。
補助パターン１３Ｃは、補助パターン１３Ａ（図６）と同様に、第１図形１０と相似形のひし形（正方形）の第２図形１２ａがＹ方向に複数配置された図形列から構成され、補助パターン１３Ｄは、補助パターン１３Ｂ（図６）と同様に、第１図形１０と相似形のひし形（正方形）の第２図形１２ｂがＹ方向に複数配置された図形列から構成され、各図形列の第２図形１２ａ、１２ｂの大きさは異なり、補助パターン１３Ｃ、１３Ｄは、中心線ＣＬに平行な直線を形成しない屈曲したパターンとなっている。
そして、テープ止めタイプの吸収性物品４０においても、パッドタイプの吸収性物品１と同様に、図１１〜図１５に示すようなセンターライン表示と補助パターンを設けることができ、センターライン表示と補助パターンを吸収性物品の種別表示としても機能させることができる。
また、テープ止めタイプの吸収性物品４０においても、図１６〜図２０に示すような組合せ図形７１（７１ａ〜７１ｅ）、７５（７５ａ〜７５ｄ）から構成されるセンターライン表示を設け、センターライン表示を吸収量識別表示としての機能させることができる。
なお、吸収性物品４０においては、フロントテープ８８の部分に、センターライン表示１１Ａと補助パターン１３Ｃ、１３Ｄは設けてられていないが、フロントテープ８８のＹ方向の長さは短く、これによりセンターライン表示と補助パターンの機能が損なわれることはない。
【００３８】
［センターライン表示・補助パターンと判別表示の組合せ］
図２４は、センター表示・補助パターンに合わせて判別表示を設けた吸収性物品１を広げて平面的にした状態の平面図であり、図において、９０ａ、９０ｂは第４図形、９１Ａ〜９１Ｄは判別表示、Ｒ１〜Ｒ４は領域、ＳＦ１〜ＳＦ４はサイドフラップである。
図２４に示すように、吸収性物品１においては、中心線ＣＬに沿ってセンターライン表示１１が設けられ、その両側に補助パターン１３Ａ、１３Ｂが設けられ、補助パターン１３Ａ、１３Ｂの外側に判別表示９１Ａ〜９１Ｄが設けられ、センターライン表示１１と補助パターン１３Ａ、１３Ｂは、図６に示したものと同じである。
この場合、判別表示９１Ａは、領域Ｒ１（吸収性物品１の上部の左側部を占める領域）のサイドフラップＳＦ１に設けられ、判別表示９１Ｂは、領域Ｒ２（吸収性物品１の上部の右側部を占める領域）のサイドフラップＳＦ２に設けられ、判別表示９１Ｃは、領域Ｒ３（吸収性物品１の下部の左側部を占める領域）のサイドフラップＳＦ３に設けられ、判別表示９１Ｄは、領域Ｒ４（吸収性物品１の下部の右側部を占める領域）のサイドフラップＳＦ４に設けられ、これらの判別表示９１Ａ〜９１Ｄは、補助パターン１３Ａ、１３Ｂと重ならない位置に設けられている。
判別表示９１Ａは、左側を頂点とする正三角形ないし二等辺三角形をＸ方向に２個並べた第４図形９０ａをＹ方向に３個配置したものであり、判別表示９１Ｂは、第４図形９０ａと線対称となる第４図形５０ｂをＹ方向に３個配置したものであり、判別表示９１Ｃは、第４図形９０ａをＹ方向に５個配置したものであり、判別表示９１Ｄは、第４図形９０ｂをＹ方向に５個配置したものである。
これらの判別表示９１Ａ〜９１Ｄを構成する第４図形９０ａ、９０ｂの形状、大きさ、個数は、図２４に示すものに限定されず、これらを変えてもよい。例えば、第４図形９０ａ、９０ｂを図２２のものより大きくして、個数を減らしてもよく（例えば、領域Ｒ１とＲ２には第４図形９０ａ等を２個、領域Ｒ３とＲ４には第４図形９０ａ等を４個配置する）、逆に、第４図形９０ａ、９０ｂを図２２のものより小さくして、個数を増やしてもよい（例えば、領域Ｒ１とＲ２には第４図形９０ａ等を４個、領域Ｒ３とＲ４には第４図形９０ａ等を６個配置する。）。
また、判別表示９１Ａ〜９１Ｄは、センターライン表示１１や補助パターン１３Ａ、１３Ｂと同様に、外装シート３のポリエチレンフィルム３ａや不織布３ｂ印刷されること等により設けられる。
そして、センター表示１１と補助パターン１３Ａ、１３Ｂに合わせて判別表示９１Ａ〜９１Ｄが設けられた吸収性物品１は、図７（ａ）に示すように、Ｘ方向に３つ折りされ、さらに、図７（ｂ）に示すようにＹ方向に２つ折りされた状態に折り畳まれて保管される。このとき、領域Ｒ１〜Ｒ４に設けられた判別表示９１Ａ〜９１Ｄは、折り畳まれた吸収性物品１の内側に隠れ、外部からは視認できない状態となる。
【００３９】
［判別表示の機能１］
図７（ｂ）に示すように折り畳まれた吸収性物品１は、図２２に示すように広げられて使用者にあてがわれて装着される。その際、上部や下部の左側部や右側部（領域Ｒ１〜Ｒ４）が完全に広げられず、その一部が内面シート４側に折り込まれた状態であてがわれた場合、判別表示９１Ａ〜９１Ｄのうち、折り込まれた部分に設けられた判別表示が隠れた状態のままとなる。このとき、吸収性物品１を使用者に装着する装着者は、判別表示が見えないことから、吸収性物品１の一部が内側または外側に折り込まれていることに気づき、折り込まれた部分を広げて吸収性物品１を装着することとなり、使用者の体液が漏れるのを防止できる。
このように判別表示９１Ａ〜９１Ｄは、吸収性物品１の左側部や右側部の一部が折り込まれて使用者にあてがわれた場合、隠れて見えないことにより、吸収性物品１の一部が折り込まれていることを装着者に気づかせる機能（機能１）を果たす。
そのため、判別表示９１Ａ〜９１Ｄは、吸収性物品１の折り込まれやすい部分である左右にふくらんだ上部と下部の左側部と右側部（領域Ｒ１〜Ｒ４）に設けられる。
【００４０】
［判別表示の機能２］
次に、判別表示９１Ａ〜９１Ｄを構成する第４図形９０ａ、９０ｂにおいて、第４図形９０ａを形成する２個の三角形の頂点は、吸収性物品１の左側の外縁側に位置し、第４図形９０ｂを形成する２個の三角形の頂点は、吸収性物品１の右側の外縁側に位置する。
このため、第４図形９０ａは左向きの矢印の機能を果し、第４図形９０ａで形成される判別表示９１Ａと９１Ｃは、この判別表示が設けられた部分（領域Ｒ１、Ｒ３）を左に向けること示唆する。
また、第４図形９０ｂは右向きの矢印の機能を果し、第４図形９０ｂで形成される判別表示９１Ｂと９１Ｄは、この判別表示が設けられた部分（領域Ｒ２、Ｒ４）を右に向けること示唆する。
すなわち、判別表示９１Ａは、この判別表示が設けられた上部の左側部（領域Ｒ１）を左方向に広げることを示唆し、判別表示９１Ｂは、この判別表示が設けられた上部の右側部（領域Ｒ２）を右方向に広げることを示唆し、判別表示９１Ｃは、この判別表示が設けられた下部の左側部（領域Ｒ３）を左方向に広げることを示唆し、判別表示９１Ｄは、この判別表示が設けられた下部の右側部（領域Ｒ４）を右方向に広げることを示唆する。
これにより、判別表示９１Ａ〜９１Ｄは、吸収性物品１を使用者にあてがう際に、左側部と右側部を左右方向に広げて使用者にあてがうことを、装着者に意識させる機能（機能２）を果たす。
【００４１】
このような判別表示９１Ａ〜９１Ｄの機能２は、判別表示９１Ａ〜９１Ｄに文字を付加することでさらに強められる。
図２５は、文字を付加した判別表示９１Ａ〜９１Ｄの例を示した説明図であり、図において、ｗ１、ｗ２は文字である。
図２５に示すように、判別表示９１Ａにおいて、中段の第４図形９０ａには、上から下に「ひろげる」と表記した文字ｗ１が付加され（同図（ａ））、判別表示９１Ｂにおいて、中段の第４図形９０ｂには、下から上に「ひろげる」と表記した文字ｗ２が付加され（同図（ｂ））、判別表示９１Ｃにおいて、上段と中段と下段の第４図形９０ａには文字ｗ１が付加され（同図（ｃ））、判別表示９Ｄにおいて、上段と中段と下段の第４図形９０ｂには文字ｗ２が付加されている（同図（ｄ））。
このように、判別表示９１Ａ〜９１Ｄに「ひろげる」を意味する文字ｗ１、ｗ２を付加することにより、左側部と右側部を左右方向に広げて吸収性物品１を使用者にあてがうことを、装着者に強く意識させることができる。
なお、判別表示５１Ａ〜５１Ｄに付加する文字は、「ひろげる」と表記された文字ｗ１、ｗ２に限定されるものではなく、「広げる」、「拡張」、「引っ張る」等、Ｘ方向（左右方向）に広げることを意味する文字であればよい。
【００４２】
［判別表示の機能３］
吸収性物品１の上部に設けられた判別表示９１Ａ、９１Ｂは、３個の第４図形９０ａ、９０ｂから構成され、吸収性物品１の下部に設けられた判別表示９１Ｃ、９１Ｄは、５個の第４図形９０ａ、９０ｂから構成される。
そして、判別表示９１Ａ〜９１Ｄを構成する第４図形９０ａ、９０ｂの間隔は同じであるから、判別表示９１Ｃにおける最上段の第４図形９０ａと最下段の第４図形９０ａの距離は、判別表示９１Ａにおける最上段の第４図形９０ａと最下段の第４図形９０ａの距離より長く、判別表示９１Ｄにおける最上段の第４図形９０ｂと最下段の第４図形９０ｂの距離は、判別表示９１Ｂにおける最上段の第４図形９０ｂと最下段の第４図形９０ｂの距離より長いこととなる。
これより、装着者にとって、５個の第４図形９０ａ、９０ｂが配置された下部の方が、３個の第４図形９０ａ、９０ｂが配置された上部よりＹ方向（長手方向）に長く、下部の面積は上部の面積より広いことが一目瞭然となり、吸収性物品１の使用者に装着する際に、上部と下部をあてがう部分を誤ることがなくなる。
また、装着者にとって、折り畳まれた吸収性物品１を完全に広げて、上部と下部のどちらが広いかを確認したり、外装シート３の中央部に設けられたマーク（上部より下部が広いことを表すマーク）等を見たりしなくても、いずれかの折り目を開いて判別表示９１Ａ〜９１Ｄを見るだけで、上部と下部のどちらが広いかの判別が可能となり、吸収性物品１を使用者にあてがう向きをすばやく判断できる。
このように、判別表示９１Ａ〜９１Ｄは、吸収性物品１の上部と下部のどちらの面積が広いかを見分けやすくする機能（機能３）を果たす。
この場合、上部と下部に配置される第４図形９０ａ、９０ｂの個数は、図２２に示す３個と５個に限定されるものではなく、面積の狭い方に配置される第４図形９０ａ、９０ｂの個数が、面積の広い方に配置される第４図形９０ａ、９０ｂの個数より少なければよいが、面積の相違に対応して個数も相違することが望ましい。例えば、下部の面積が上部の面積の２倍であれば、下部に配置される第４図形９０ａ等の個数は、上部に配置される第４図形９０ａ等の個数の２倍とすることが望ましい。
【産業上の利用可能性】
【００４３】
本発明の吸収性物品は、外装シートと内面シートとの間に吸収体が挟持され、縦長形状であって外装シートの長手方向に延びる中心線に沿ってセンターライン表示が施されるパッドタイプの吸収性物品において、センターライン表示の機能を損なうことなく、折り畳まれた状態の吸収性物品を、その側面からその種類が明確に識別できるものである。
【符号の説明】
【００４４】
１  吸収性物品
２  吸収体
３  外装シート
３ａ  ポリエチレンフィルム
３ｂ  不織布、
４  内面シート
５、６  立体ギャザーシート
５ａ、６ａ  起立部
５ｂ、６ｂ  先端縁
５ｃ、６ｃ  折返し部
１０  第１図形
１１  センターライン表示
１１Ａ  センターライン表示
１２ａ、１２ｂ  第２図形
１３Ａ、１３Ｂ  補助パターン
１３Ｃ、１３Ｄ  補助パターン
２０  第１図形
２１  センターライン表示
２２ａ、２２ｂ  第２図形
２３Ａ、２３Ｂ  補助パターン
３０  第１図形
３１  センターライン表示
３２ａ、３２ｂ  第２図形
３３Ａ、３３Ｂ  補助パターン
４０  第１図形
４１  センターライン表示
４２ａ、４２ｂ  第２図形
４３Ａ、４３Ｂ  補助パターン
５０  第１図形
５１  センターライン表示
５２ａ、５２ｂ  第３図形
５３Ａ、５３Ｂ  補助パターン
６０  第１図形
６１  センターライン表示
６２ａ、６２ｂ  第３図形
６３Ａ、６３Ｂ  補助パターン
７０ａ、７０ｂ  単位図形
７１、７１’、７１”  組合せ図形
７１ａ〜７１ｅ  組合せ図形
７１ａ’〜７１ｅ’  組合せ図形
７１ａ”〜７１ｅ”  組合せ図形
７２、７３  センターライン表示
７４ａ、７４ｂ  単位図形
７５  組合せ図形
７５ａ〜７５ｄ  組合せ図形
７６  センターライン表示
８０  テープ止めタイプの吸収性物品
８２  吸収体
８３  外装シート
８７、８７ａ、８７ｂ  ファスニングテープ
８８  フロントテープ
９０ａ、９０ｂ  第４図形
９１Ａ〜９１Ｄ  判別表示
１００  吸収性物品
１０１  外装シート
１０２  吸収体
１０３  センターライン表示
１０４、１０４ａ、１０４ｂ  側面
Ｃ１００  中心線
ｆ１、ｆ２  縦折り線
ｆ３  横折り線
ｆ１０〜ｆ１２  折り線
ｗ１、ｗ２  文字
ＣＬ  中心線
Ｃ１１０  中心線
Ｄ１、Ｄ２  弾性部材
Ｒ１〜Ｒ４  領域
ＳＦ  サイドフラップ
ＳＦ１〜ＳＦ４  サイドフラップ
ＳＲ１、ＳＲ２  側面領域
【図１】
2020121229.tif 000003
【図２】
2020121229.tif 000004
【図３】
2020121229.tif 000005
【図４】
2020121229.tif 000006
【図５】
2020121229.tif 000007
【図６】
2020121229.tif 000008
【図７】
2020121229.tif 000009
【図８】
2020121229.tif 000010
【図９】
2020121229.tif 000011
【図１０】
2020121229.tif 000012
【図１１】
2020121229.tif 000013
【図１２】
2020121229.tif 000014
【図１３】
2020121229.tif 000015
【図１４】
2020121229.tif 000016
【図１５】
2020121229.tif 000017
【図１６】
2020121229.tif 000018
【図１７】
2020121229.tif 000019
【図１８】
2020121229.tif 000020
【図１９】
2020121229.tif 000021
【図２０】
2020121229.tif 000022
【図２１】
2020121229.tif 000023
【図２２】
2020121229.tif 000024
【図２３】
2020121229.tif 000025
【図２４】
2020121229.tif 000026
【図２５】
2020121229.tif 000027
【図２６】
2020121229.tif 000028
【図２７】
2020121229.tif 000029
【図２８】
2020121229.tif 000030